(57)【要約】【課題】底板の強度を向上しつつフォークリフトによる破損を防止するとともに安全な運搬が可能となる空気調和機の室外ユニットを提供する。【解決手段】圧縮機１０が固定されると共に、前後にフォークリフト（図示せず）のフォークリフト爪１２を挿入するフォークリフト爪挿入穴１１ａを有した一対の脚１１により支持される底板６を備え、フォークリフト爪挿入穴１１ａの奥部で、且つ底板６の下面に下方に突出する突出部１５を形成したもので、底板６の強度ＵＰを図ると共に、フォークリフトで運搬する際に、フォークリフト爪１２を傾斜して挿入した場合でも、フォークリフト爪１２の先端が突出部１５に案内され、圧縮機１０を固定するネジ１４の破壊を防ぐとともに、フォークリフト爪１２が短い場合の挿入不足に対しても、室外ユニット１をフォークリフト爪１２と平行な状態で、安全に運搬することができる。【選択図】図１
2010112640.tif 000002
【特許請求の範囲】
【請求項１】
冷凍部品が固定されると共に、前後にフォークリフトのフォークリフト爪を挿入するフォークリフト爪挿入穴を有した一対の脚により支持される底板を備え、前記フォークリフト爪挿入穴の奥部で、且つ前記底板の下面に下方に突出する突出部を形成したことを特徴とする空気調和機の室外ユニット。
【請求項２】
突出部の突出高さを、冷凍部品を底板に固定するネジの前記底板からの突出寸法より大きく設定したことを特徴とする請求項１に記載の空気調和機の室外ユニット。
【請求項３】
突出部の底面と、フォークリフト爪挿入穴の上端部の面が略一致するように同じ高さに形成したことを特徴とする請求項１または２に記載の空気調和機の室外ユニット。
【請求項４】
突出部の内面が、室外ユニット内部のドレン排水路を兼ねていることを特徴とする請求項１〜３のいずれか１項に記載の空気調和機の室外ユニット。
【請求項５】
突出部を、フォークリフト爪挿入穴の投影面の上部に形成したことを特徴とする請求項１〜４のいずれか１項に記載の空気調和機の室外ユニット。
【請求項６】
突出部を、フォークリフト爪挿入穴から奥行き方向に略平行に設けたことを特徴とする請求項１〜５のいずれか１項に記載の空気調和機の室外ユニット。
【発明の詳細な説明】
【技術分野】
【０００１】
本発明は、空気調和機の室外ユニットに関するもので、より詳細には運搬中の空気調和機の室外ユニットの破損を防止する構造に関するものである。
【背景技術】
【０００２】
近年、大能力タイプの空気調和機の室外ユニットや、パッケージエアコンの室外ユニットでは、大型化に伴う製品重量の増加により、室外ユニットのフォークリフトによる運搬を可能にするために、開口部を設けた構成となっている（例えば、特許文献１参照）。
【０００３】
以下に、従来の空気調和機の室外ユニットの構成を図４、図５を用いて説明する。
【０００４】
図４、図５において、空気調和機の室外ユニット１は、天板２と、前板３と、側板４からなる外箱５及び底板６で形成され、内部には、ファン７と、電源板８を有し、冷凍部品である熱交換器９と、圧縮機１０が底板６に固定されている。
【０００５】
底板６の下面の前後に室外ユニット１を支える一対の脚１１が設けられ、この脚１１の奥行き方向に運搬のためのフォークリフト（図示せず）のフォークリフト爪１２を挿入するためのフォークリフト爪挿入穴１１ａが形成されている。
【０００６】
また、底板６の下面中央部には、フォークリフト爪１２の挿入方向と直角方向に補強ステー１３を設けて構成している。このときフォークリフト爪１２の挿入域に相当する底板６から熱交換器９や圧縮機１０等の部品の取付ネジ１４が突出しているため、脚１１に設けたフォークリフト爪挿入穴１１ａの上端部の面１１ｂは、底板６の下面よりネジ１４の突出長さ以上下方に位置させている。
【０００７】
以上のように構成された従来の空気調和機の室外ユニットにおいて、フォークリフトにより空気調和機の室外ユニット１を運搬する際は、フォークリフト爪１２を、脚１１に形成したフォークリフト爪挿入穴１１ａに挿入する。このときフォークリフト爪１２が室外ユニット１の奥行きよりも長い場合は、フォークリフト爪１２の先端を対面の脚１１のフォークリフト爪挿入穴１１ａから出すことで、空気調和機の室外ユニット１をリフトアップした際に、フォークリフト爪１２の上面にフォークリフト爪挿入穴１１ａの上端部の面１１ｂが掛かり空気調和機の室外ユニット１とフォークリフト爪１２が平行になることで安全な運搬が可能となる。またフォークリフト爪１２が短い場合は、補強ステー１３にフォークリフト爪１２の上面が掛かることで空気調和機１は平行になり、不安定になることなく安全な運搬が可能となる。
【特許文献１】特開平８−７５１９２号公報
【発明の開示】
【発明が解決しようとする課題】
【０００８】
しかしながら上記従来の空気調和機の室外ユニットの構成では、空気調和機の室外ユニット１が奥行き方向に傾斜して置かれていた場合など、フォークリフト爪１２を挿入する際にフォークリフト爪１２が底板６に対し上方に傾斜した状態で挿入された場合、補強ステー１３の側面１３ａにフォークリフト爪１２が衝突し補強ステー１３および底板６を破損してしまうと言う課題があった。
【０００９】
さらに補強ステー１３より手前側で底板６に取り付けられた部品の取付ネジ１４の先端とフォークリフト爪１２の先端が干渉し、ネジ１４を破壊したり、あるいはネジ穴（図示
せず）を破損させることがある。また、補強ステー１３は、底板６の下面に取り付けられているために、フォークリフトを運転する作業者には補強ステー１３を確認できず、フォークリフト爪１２が挿入不足で補強ステー１３に掛かっていない状態でリフトアップしてしまうと、フォークリフト爪１２の先端で底板６を傷つけてしまう恐れがあるばかりでなく、空気調和機の室外ユニット１が不安定になり最悪の場合転倒してしまうという課題があった。
【００１０】
本発明は、上記従来の課題を解決するもので、安価な構成で、底板の強度を低下させることなくフォークリフトによる安全な運搬が可能で、信頼性の高い空気調和機の室外ユニットを提供することを目的とするものである。
【課題を解決するための手段】
【００１１】
上記従来の課題を解決するために、本発明の空気調和機の室外ユニットは、冷凍部品が固定されると共に、前後にフォークリフトのフォークリフト爪を挿入するフォークリフト爪挿入穴を有した一対の脚により支持される底板を備え、前記フォークリフト爪挿入穴の奥部で、且つ前記底板の下面に下方に突出する突出部を形成したもので、底板の強度を損なうことなく強度ＵＰを図ると共に、フォークリフトで運搬する際に、室外ユニットが傾斜していたりフォークリフト爪を傾斜して挿入した場合でも、フォークリフト爪の先端が突出部に案内され、冷凍部品を固定するネジおよびネジ穴の破壊を防ぐとともに、フォークリフト爪が短い場合や長い場合の挿入不足に対しても、室外ユニット本体をフォークリフト爪と平行な状態で運搬することができる。
【発明の効果】
【００１２】
本発明の空気調和機の室外ユニットは、安価な構成で底板の強度を低下させることなくフォークリフトによる安全な運搬が可能となるものである。
【発明を実施するための最良の形態】
【００１３】
第１の発明は、冷凍部品が固定されると共に、前後にフォークリフトのフォークリフト爪を挿入するフォークリフト爪挿入穴を有した一対の脚により支持される底板を備え、前記フォークリフト爪挿入穴の奥部で、且つ前記底板の下面に下方に突出する突出部を形成したもので、底板の強度を損なうことなく強度ＵＰを図ると共に、フォークリフトで運搬する際に、室外ユニットが傾斜していたりフォークリフト爪を傾斜して挿入した場合でも、フォークリフト爪の先端が突出部に案内され、冷凍部品を固定するネジおよびネジ穴の破壊を防ぐとともに、フォークリフト爪が短い場合や長い場合の挿入不足に対しても、室外ユニット本体をフォークリフト爪と平行な状態で運搬することができる。
【００１４】
第２の発明は、特に、第１の発明の突出部の突出高さを、冷凍部品を底板に固定するネジの前記底板からの突出寸法より大きく設定したもので、室外ユニット本体が傾斜していたりフォークリフト爪を傾斜して挿入した場合でも、フォークリフト爪の先端が突出部に案内されフォークリフト爪の先端が冷凍部品を取り付けるネジと干渉することがない。
【００１５】
第３の発明は、特に、第１又は第２の発明の突出部の底面と、フォークリフト爪挿入穴の上端部の面が略一致するように同じ高さに形成したもので、室外ユニット本体をフォークリフト爪と平行な状態で運搬することができる。
【００１６】
第４の発明は、特に、第１〜３のいずれか一つの発明の突出部の内面が、室外ユニット内部のドレン排水路を兼ねているもので、別途専用のドレン排水路を設ける必要が無く、形状の簡素化、加工性の向上を図ることができる。
【００１７】
第５の発明は、特に、第１〜４のいずれか一つの発明の突出部を、フォークリフト爪挿
入穴の投影面の上部に形成したもので、フォークリフト爪をフォークリフト爪挿入穴から挿入した際に、突出部とフォークリフト爪がずれることがなく確実かつ安全な運搬が可能となる。
【００１８】
第６の発明は、特に、第１〜５のいずれか一つの発明の突出部を、フォークリフト爪挿入穴から奥行き方向に略平行に設けたもので、フォークリフト爪をフォークリフト爪挿入穴から挿入した際に、前記突出部がフォークリフト爪の全長にわたって支持されることで、より安定した運搬が可能となる。
【００１９】
以下、本発明の実施の形態について、図面を参照しながら説明する。なお、この実施の形態によって本発明が限定されるものではない。
【００２０】
（実施の形態１）
図１は、本発明の実施の形態１における空気調和機の室外ユニットの部分側面断面図で、図２は、同室外ユニットの部分正面断面図である。なお、本実施の形態における空気調和機の室外ユニットのシャーシ構成は、従来例と同様であるので、同一部分については同一符号を付してその説明を省略する。
【００２１】
本実施の形態における空気調和機の室外ユニットは、図１、図２に示すように、底板６の下面に、下方に向かって底面が圧縮機１０などの冷凍部品を固定するネジ１４の底板６からの下方への突出寸法より大きく突出し、脚１１に形成したフォークリフト爪挿入穴１１ａの上端部の面１１ｂの面と略一致する高さにある突出部１５を、挿入穴１１ａの投影面の上部に奥行き方向に略平行に形成したものである。
【００２２】
以上のように構成された空気調和機の室外ユニット１において、フォークリフトにより運搬する際は、フォークリフト爪１２を、フォークリフト爪挿入穴１１ａに挿入する。挿入されたフォークリフト爪１２は、フォークリフト爪挿入穴１１ａを通過した直後にフォークリフト爪挿入穴１１ａの投影面の上部に奥行き方向に略平行に形成された突出部１５の底面に掛かることで、突出部１５により底板６の強度を向上しつつ、フォークリフト爪１２の先端が底板６の底面に接触する恐れが無くなるのはもとより、ネジ１４にも接触することはない。
【００２３】
また、フォークリフト爪１２の全長が脚１１の奥行き方向の取り付けピッチよりも短い場合や、フォークリフト爪１２の挿入寸法が小さかった場合やフォークリフト爪１２の挿入不足があった場合でも、突出部１５の底面とフォークリフト爪挿入穴１１ａの上端部の面１１ｂの高さが一致していることで、リフトアップした時にフォークリフト爪１２と空気調和機の室外ユニット１は、必ず平行になり安定した状態での運搬が可能となるものである。
【００２４】
（実施の形態２）
図３は、本発明の第２の実施の形態における空気調和機の室外ユニットの底板の平面図である。なお、上記実施の形態１と同一部分については同一符号を付してその説明を省略する。
【００２５】
本実施の形態では、底板６に設けた突出部１５は、熱交換器（図示せず）等から排出されるドレン水や、室外ユニット１の内部に浸入する雨水等を排水する複数の排水穴１６を設けたドレン排水路１７と一体で成型したものである。
【００２６】
これにより底板６の強度を向上しつつ専用のドレン排水路１７を別途設ける必要が無く、形状の簡素化、加工性の向上を図ることができる。
【産業上の利用可能性】
【００２７】
以上のように、本発明に係る空気調和機の室外ユニットは、安価な構成で、確実に、しかも簡単に本体底面を傷つけることなくフォークリフトにより安全に運搬できるので、作業効率が非常に良く製品の品質も向上する。そのため、空気調和機の室外ユニットだけに限らず、重量物全般に適用できる。
【図面の簡単な説明】
【００２８】
【図１】本発明の実施の形態１における空気調和機の室外ユニットの部分側面断面図
【図２】同室外ユニットの部分正面断面図
【図３】本発明の実施の形態２における空気調和機の室外ユニットの底板の平面図
【図４】従来の空気調和機の室外ユニットの側面断面図
【図５】同室外ユニットの側面断面図
【符号の説明】
【００２９】
６  底板
１０  圧縮機（冷凍部品）
１１  脚
１１ａ  フォークリフト爪挿入穴
１１ｂ  上端面
１２  フォークリフト爪
１４  ネジ
１５  突出部
１７  ドレン排水路
【図１】
2010112640.tif 000003
【図２】
2010112640.tif 000004
【図３】
2010112640.tif 000005
【図４】
2010112640.tif 000006
【図５】
2010112640.tif 000007